(57)【要約】【課題】要監視物件に設置されている監視装置を利用し、監視装置近傍で非常事態に遭遇中のタグ所有者の協力によって現場情報の取得が可能なセキュリティシステムの提供。【解決手段】セキュリティシステムＡは、犯罪を目撃中のタグ所有者２が手動送信スイッチ２２を押圧すると変調波２４が送信され、玄関ドア近くの物音や動画像に相当する電気信号を暗号化した後にメモリｍに記録され、その記録データは通報回路１６ｅによって警察機関に送られる。このため、警察機関では、事件発生から間を開けずに、現場情報を取得して分析することができ、犯人をスピード逮捕することができる。【選択図】図２
2010123013.tif 000002
【特許請求の範囲】
【請求項１】
要監視物件の周囲に設定した監視対象エリアの物音や画像を取得して電気信号に変換する監視手段と、所定の監視条件が成立すると前記電気信号を記録時刻を付して記録する記録手段とを有し、前記要監視物件に設置される１つ以上の監視装置を利用し、何れかの監視装置近傍で非常事態に遭遇中のタグ所有者の協力によって現場情報の取得が可能なセキュリティシステムであって、
タグ内蔵センサによる非常感知や手動送信スイッチにより作動して、個体識別情報を重畳させた変調波を送信アンテナから放射する構造の、各タグ所有者が携行するアクティブ無線タグと、
前記変調波を捉える受信アンテナ、捉えた変調波の増幅・検波・復調を行う受信回路、および個体識別が成されると前記電気信号を前記記録手段に強制的に記録させる強制稼働手段を有し、前記監視装置に付加される付加装置とにより構成したことを特徴とするセキュリティシステム。
【請求項２】
前記強制稼働手段は、暗号化手段により暗号化された電気信号を前記記録手段に記録することを特徴とする請求項１に記載のセキュリティシステム。
【請求項３】
前記記録手段に暗号化されて記録された記録データは、連絡回線を介して警察機関やセキュリティ管理者に送られることを特徴とする請求項２に記載のセキュリティシステム。
【請求項４】
走行する車両から取得した車外の動画像や物音に対応する電気信号を出力する撮影手段と、過大な負の加速度や衝撃等の物理量変化から事故発生を推定して発生前後に出力された電気信号を記憶部に格納する制御器とを有し、各車両に搭載されるドライブレコーダーを利用し、
不審者によるひったくりや痴漢等の不法行為に遭遇中のタグ所有者と、その現場の近傍を通過する搭載車両との連携動作によって現場情報の取得が可能なセキュリティシステムであって、
タグ内蔵センサによる犯行感知や手動送信スイッチにより作動して、個体識別情報を重畳させた変調波を送信アンテナから放射する構造の、各タグ所有者が携行するアクティブ無線タグと、
前記変調波を捉える受信アンテナと、捉えた変調波の増幅・検波・復調を行う受信回路、および個体識別が成されると識別前後に出力された前記電気信号を前記記憶部に強制的に記録させる強制稼働手段を有し、前記ドライブレコーダーに付加される付加装置とにより構成したことを特徴とするセキュリティシステム。
【請求項５】
前記強制稼働手段は、暗号化手段により暗号化された電気信号を前記記憶部に記録することを特徴とする請求項４に記載のセキュリティシステム。
【請求項６】
前記記録部に暗号化されて記録された記録データは、前記搭載車両から無線中継局を介して警察機関に送られることを特徴とする請求項５に記載のセキュリティシステム。
【請求項７】
居場所不明になり易い人畜らに携行させ、個体識別情報を重畳させた変調波を送信アンテナから周期的に放射するアクティブ無線タグと、
前記変調波を捉える受信アンテナと、捉えた変調波の増幅、検波、復調を行う受信回路と、個体識別が成されると立回り時間および拠点場所情報とともに個体識別情報を通信回線を介して通報先に送信する通報回路とを有し、タグ携行人畜が立回る可能性が高い複数の重点拠点に設置される拠点装置とで構成され、
前記重点拠点に前記タグ携行人畜が立ち回わった際に、前記アクティブ無線タグから前記変調波が放射されると、前記通報先では、前記個体識別情報とともに送られてくる前記立回り時間および前記拠点場所情報に基づいて前記タグ携行人畜の居場所を特定することを特徴とする追跡システム。
【請求項８】
利用者が携行する携行物に配され、通電が成されると個体識別情報を重畳させた変調波を送信アンテナから周期的に放射するアクティブ無線タグと、
前記携行物が奪われた際に、前記アクティブ無線タグへ通電を行う盗難時通電手段と、  前記変調波を捉える受信アンテナと、捉えた変調波の増幅、検波、復調を行う受信回路と、個体識別が成されると立寄時間および拠点場所情報とともに個体識別情報を通信回線を介して通報先に送信する通報回路とを有し、前記利用者から奪った前記携行物を所持した犯人が立ち寄る可能性が高い複数の監視拠点に設置される拠点装置とで構成され、
前記監視拠点に前記犯人が立ち寄った際に、前記アクティブ無線タグから前記変調波が放射されると、前記通報先では、前記個体識別情報とともに送られてくる前記立回り時間および前記拠点場所情報に基づいて前記携行物の場所を特定することを特徴とする追跡システム。
【請求項９】
前記盗難時通電手段は、利用者側の送信器から送信され続ける微弱電波を盗難により両者の距離が離れて携行物側の受信回路で受信できなくなると通電を行う構成か、奪われた時に発生する加速度をＧセンサが検出すると通電を行う構成か、奪われた時にピンが抜けて常開スイッチの接点が閉成する構成により構築したことを特徴とする請求項８に記載の追跡システム。
【発明の詳細な説明】
【技術分野】
【０００１】
本発明は、アクティブ無線タグを使った、セキュリティシステムおよび追跡システムに関する。
【背景技術】
【０００２】
特許文献１には、携帯電話を携帯する火災発見者が消火器を操作すると、消火器に装備したＲＦＩＤタグから携帯電話へＩＤを送信し、その携帯電話から消防へ緊急通報する消火器が開示されている。
【特許文献１】特開２００７−１０２２９５
【発明の開示】
【発明が解決しようとする課題】
【０００３】
特許文献１において、ＲＦＩＤ受信機能付の携帯電話を火災発見者が持っていない場合や、消火器を操作しないで避難した場合や、火災現場が圏外の場合には、消防へ緊急通報されない。
【０００４】
本発明の第１の目的は、要監視物件に設置されている監視装置を利用し、監視装置近傍で非常事態に遭遇中のタグ所有者の協力によって現場情報の取得が可能なセキュリティシステムの提供にある。
【０００５】
本発明の第２の目的は、不審者が不法行為を行っている現場の近傍を通過するドライブレコーダーを搭載した車両と、その不法行為に遭遇中のタグ所有者との連携動作によって現場情報の取得が可能なセキュリティシステムの提供にある。
【０００６】
本発明の第３の目的は、タグ携行人畜が立回った重点拠点の重点場所情報等が通報先へ送られ、タグ携行人畜の居場所が特定できる追跡システムの提供にある。
本発明の第４の目的は、携行物を奪った犯人がが立ち寄った監視拠点の監視場所情報等が通報先へ送られ、携行物の場所が特定できる追跡システムの提供にある。
【課題を解決するための手段】
【０００７】
〔請求項１の手段〕
セキュリティシステムは、要監視物件に設置される１つ以上の監視装置と、何れかの監視装置近傍で非常事態に遭遇中のタグ所有者との協力によって現場情報を取得している。  各監視装置は、要監視物件の周囲に設定した監視対象エリアの物音や画像を取得して電気信号に変換する監視手段と、所定の監視条件が成立すると電気信号を記録時刻を付して記録する記録手段とを有する。
各監視装置には、変調波を捉える受信アンテナ、捉えた変調波の増幅・検波・復調を行う受信回路、および個体識別が成されると電気信号を記録手段に強制的に記録させる強制稼働手段を有する付加装置が付加されている。
【０００８】
また、タグ所有者が携行するアクィブ無線タグは、タグ内蔵センサによる非常感知や手動スイッチにより作動して、個体識別情報を重畳させた変調波を送信アンテナから放射する構造である。
【０００９】
何れかの監視装置の近傍でタグ所有者が非常事態に遭遇すると、タグ内蔵センサによる非常感知や手動送信スイッチによりアクティブ無線タグが作動して、個体識別情報を重畳させた変調波が送信アンテナから放射される。
【００１０】
その監視装置に付加された付加装置の受信アンテナが変調波を捉え、受信回路が捉えた変調波の増幅・検波・復調を行い、個体識別が成されると、付加装置の強制稼働手段が監視装置の記録手段に電気信号を強制的に記録させる。
【００１１】
即ち、非常事態の際には、その監視装置が捉えた物音や画像に対応する電気信号が記録手段に強制的に記録される。
このセキュリティシステムは、要監視物件に、１つ以上設置されている監視装置の何れかを利用し、その装置近傍で非常事態に遭遇中のタグ所有者の協力によって現場情報（物音や画像）を取得することができる。
なお、異常事態の発生場所が移動した場合に、１人のタグ所有者がアクィブ無線タグを作動させながら場所を移動して追跡したり、移動経路にいる複数人のタグ所有者がアクィブ無線タグをさせれば、異常事態の物音や画像を連携して記録することができる。
【００１２】
〔請求項２の手段〕
請求項２のセキュリティシステムにおいて、強制稼働手段は、電気信号を暗号化して記録手段に記録する構造である。このため、非常事態の際に記録手段に記録された要監視物件の周囲の物音や画像を、要監視物件に監視装置を設置した管理者が見てしまうことを防止でき、捜査に支障をきたさない。
【００１３】
〔請求項３の手段〕
請求項３のセキュリティシステムにおいて、非常事態の際、暗号化手段により暗号化されて記録手段に記録された要監視物件の周囲の物音や画像が、連絡回線を介して警察機関やセキュリティ管理者に送られる。
警察機関へ送られる場合は、非常事態の発生から間を開けずに、非常事態の際の物音や画像を取得して分析することができ、犯人をスピード逮捕することができる。
また、セキュリティ管理者へ送られる場合は、非常事態の発生から間を開けずに、非常事態の際の物音や画像を取得して分析することができ、出動させる警備員へ情報提供することができる。
【００１４】
〔請求項４の手段〕
セキュリティシステムは、車両内外に搭載されるドライブレコーダーと、現場で不審者によるひったくりや痴漢等の不法行為に遭遇中のタグ所有者との連携動作により現場情報を取得している。
【００１５】
ドライブレコーダーは、走行する車両から取得した車外の動画像や物音に対応する電気信号を出力する撮影手段と、過大な負の加速度や衝撃等の物理量変化から事故発生を推定して発生前後に出力された電気信号を記憶部に格納する制御器とを有する。
このドライブレコーダーには、変調波を捉える受信アンテナと、捉えた変調波の増幅・検波・復調を行う受信回路、および個体識別が成されると識別前後に出力された電気信号を記憶部に強制的に記録させる強制稼働手段を有する付加装置が付加されている。
【００１６】
タグ所有者が携行するアクティブ無線タグは、タグ内蔵センサによる犯行感知や手動送信スイッチにより作動して、個体識別情報を重畳させた変調波を送信アンテナから放射する構造である。
【００１７】
不審者によるひったくりや痴漢等の不法行為にタグ所有者が遭遇すると、タグ内蔵センサによる犯行感知や、手動送信スイッチの手動操作によりアクティブ無線タグが作動して、個体識別情報を重畳させた変調波が送信アンテナから放射される。
【００１８】
ドライブレコーダーに付加された付加装置の受信アンテナが変調波を捉え、受信回路が捉えた変調波の増幅・検波・復調を行い、個体識別が成されると、付加装置の強制稼働手段が監視装置の記録手段に電気信号を強制的に記録させる。
【００１９】
不審者によるひったくりや痴漢等の不法行為にタグ所有者が遭遇すると、その現場の近傍を通過する搭載車両のドライブレコーダーが、その現場の動画像や物音に対応する電気信号をドライブレコーダーの記憶部に格納する。つまり、セキュリティシステムは、現場のタグ所有者と、その現場近傍を通過する搭載車両との連携動作によって現場情報（物音や動画像）を取得することができる。
【００２０】
〔請求項５の手段〕
請求項５のセキュリティシステムにおいて、強制稼働手段は、暗号化手段により暗号化された電気信号を記録部に記録する構造である。このため、現場の近傍を通過して、ドライブレコーダーの記憶部に格納された物音や動画像をドライブレコーダーの所有者が見てしまうことを防止でき、犯罪捜査に支障をきたさない。
【００２１】
〔請求項６の手段〕
請求項６のセキュリティシステムにおいて、記録部に暗号化されて記録された物音や動画像に相当する記録データは、搭載車両から無線中継局を介して警察機関に送られる。
このため、警察機関では、不審者が現場で不法行為を行った場合には、送られてきた記録データから、不審者の物音や動画像を速やかに分析することができ、犯人（＝不審者）をスピード逮捕することができる。
【００２２】
〔請求項７の手段〕
請求項７の追跡システムは、居場所不明になり易い人畜らにアクティブ無線タグを携行させ、タグ携行人畜が立回る可能性が高い複数の重点拠点に設置した拠点装置に人畜らが立回ると通報先へ送信する仕組みである。
【００２３】
なお、人畜とは、室内で放飼の飼犬や飼猫等の愛玩動物、目を離すと家外へ出てしまう子供、徘徊癖が有る老人等である。
また、重点拠点とは、動物処分場、公衆便所、遊技場、残飯置場、ＡＴＭ、公園、自動販売機、駅等のタグ携行人畜が立回る可能性が高い場所である。
【００２４】
人畜らに携行させる携帯アクティブ無線タグは、個体識別情報を重畳させた変調波を送信アンテナから周期的に放射する構造である。
【００２５】
拠点装置に設置する拠点装置は、変調波を捉える受信アンテナと、捉えた変調波の増幅、検波、復調を行う受信回路と、個体識別が成されると立回り時間および拠点場所情報とともに個体識別情報を通信回線を介して通報先に送信する通報回路とを有する。
【００２６】
重点拠点にタグ携行人畜が立回ると、タグ携行人畜が携行したアクティブ無線タグから変調波が放射される。
重要拠点に設置した拠点装置の受信アンテナが変調波を捉え、受信回路が変調波の増幅、検波、復調を行い、個体識別が成されると通報回路が立回り時間および拠点場所情報とともに個体識別情報が通信回線を介して通報先に送信される。
【００２７】
通報先では、個体識別情報とともに送られてくる立回り時間および拠点場所情報に基づいてタグ携行人畜の居場所を特定することができる。
【００２８】
〔請求項８の手段〕
追跡システムは、利用者が携行する携行物に配されるアクティブ無線タグと、携行物が奪われると通電を行う盗難時通電手段と、複数の監視拠点に設置される拠点装置とにより構成され、個体識別情報とともに送られてくる立回り時間および拠点場所情報に基づいて携行物の場所を特定することができる。
【００２９】
アクティブ無線タグは、通電が成されると個体識別情報を重畳させた変調波を送信アンテナから周期的に放射する。
拠点装置は、変調波を捉える受信アンテナと、捉えた変調波の増幅、検波、復調を行う受信回路と、個体識別が成されると立寄時間および拠点場所情報とともに個体識別情報を通信回線を介して通報先に送信する通報回路とを有し、利用者から奪った携行物を所持した犯人が立ち寄る可能性が高い複数の監視拠点に設置される。
【００３０】
利用者から奪った携行物を所持した犯人が監視拠点に立ち寄ると、アクティブ無線タグから変調波が放射されているので、拠点装置の受信回路が個体識別し、拠点装置の通報回路が個体識別情報とともに立回り時間および拠点場所情報を通報先に送信する。
通報先では、個体識別情報とともに送られてくる立回り時間および拠点場所情報に基づいて携行物の場所を特定することができる。
【００３１】
〔請求項９の手段〕
追跡システムの盗難時通電手段は、携行物に配設した利用者側の送信器から送信され続ける微弱電波を盗難により両者の距離が離れて携行物側の受信回路で受信できなくなると通電を行う構成か、奪われた時に発生する加速度をＧセンサが検出すると通電を行う構成か、奪われた時にピンが抜けて常開スイッチの接点が閉成する構成により構築している。  
【００３２】
盗難時のみアクティブ無線タグから変調波が放射されるため、通報先は、盗難があったか否かの判別を容易にできる。また、盗難時のみ、アクティブ無線タグへ電力を供給するため、電池の寿命を延ばすことができる。
【発明を実施するための最良の形態】
【００３３】
追跡システムは、変調波を捉える受信アンテナ、捉えた変調波の増幅、検波、復調を行う受信回路、および個体識別が成されると立回り時間と拠点場所情報とともに個体識別情報を通信回線を介して管理センターに送信する通報回路を有する拠点装置を老人が立回る可能性が高い重点拠点に設置し、個体識別情報を重畳させた変調波を、送信アンテナから周期的に放射するアクティブ無線タグを徘徊癖がある老人に携行させている。
【００３４】
タグ携行人畜が重点拠点に立回った際にアクティブ無線タグから変調波が放射され、そこの拠点装置が受信して、立回り時間および拠点場所情報が管理センターへ送信されると、それらの情報に基づいて老人の居場所を特定することができる。
【実施例１】
【００３５】
本発明の実施例１に係るセキュリティシステムＡ（請求項１、２、３に対応）を、図１、図２に基づいて説明する。
図１、図２に示す如く、セキュリティシステムＡは、道路１１に臨む一般家屋１２（要監視物件）に設置されるインターホン１（監視装置）と、道路１１で犯罪を目撃中のタグ所有者２との協力によって現場情報を取得する構成である。
【００３６】
インターホン１は、一般家屋１２の玄関ドア１０の近傍に設置したカメラ１３と、メモリｍ（記録手段）を有するインターホン本体１４と、室内に設置したモニター１５と、制御回路ｓとを備え、アダプタ１６（付加装置）が電気接続されている。  
【００３７】
カメラ１３は、集音マイク１３ａを内蔵し、玄関ドア１０近く（監視対象エリア）の、物音や動画像に相当する電気信号をインターホン本体１４へ送出する。
通常時において、インターホン本体１４は、門柱に配設したベル１７が来客者により押されると、カメラ１３が送出中の、玄関ドア１０近くの物音や動画像に相当する電気信号を、所定時間の間、メモリ（記憶手段）に格納し続ける。そして、カメラ１３が捉えた玄関ドア１０の近くの、物音や動画像はモニター１５から音付で映る。
【００３８】
アダプタ１６は、変調波を捉える受信アンテナ１６ａと、捉えた変調波の増幅・検波・復調を行う受信回路１６ｂと、個体識別が成されると、玄関ドア１０近くの物音や動画像に相当する電気信号を、暗号化回路１６ｃ（暗号化手段）で暗号化した後にインターホン本体１４のメモリｍに強制的に記録させる強制稼働回路１６ｄ（強制稼働手段）とを有する。また、強制稼働回路１６ｄが稼働する場合には、モニター１５はブランク状態とされ、上記電気信号は、アダプタ１６の暗号化回路１６ｃで暗号化されてメモリｍに記録される。なお、暗号化されてメモリｍに記録された物音や動画像（記録データ）のデータは、連絡回線を介して警察機関に送られる。
【００３９】
タグ所有者２が携行するアクティブ無線タグ２１は、タグに配した手動送信スイッチ２２が押圧されるとタグ本体２３に通電が成され、個体識別情報を重畳させた変調波２４を送信アンテナ２５から放射する構成である。なお、タグ内蔵センサが非常を感知すると、タグ本体２３に通電が成される構成でも良い。
【００４０】
このセキュリティシステムＡは、以下の様に作動する。
一般家屋１２の玄関ドア１０近傍の道路１１上で、不審者１８が通行人１９を脅している様な非常事態をタグ所有者２が目撃し、手動送信スイッチ２２を押圧すると、アクティブ無線タグ２１のタグ本体２３に通電が成され、個体識別情報を重畳させた変調波２４が送信アンテナ２５から放射される。
【００４１】
インターホン１に付加されたアダプタ１６の受信アンテナ１６ａが変調波２４を捉え、受信回路１６ｂが増幅・検波・復調を行い、個体識別が成される。そして、強制稼働回路１６ｄが、暗号化回路１６ｃで暗号化された電気信号（玄関ドア１０近くの物音や動画像に相当）をインターホン本体１４のメモリｍに強制的に記録する。そして、メモリｍに記録された物音や動画像（記録データ）のデータは、通報回路１６ｅにより連絡回線を介して警察機関に送られる。なお、モニター１５はブランク状態とされる。
【００４２】
実施例１に係るセキュリティシステムＡは、以下の利点を有する。
玄関ドア１０近傍の道路１１上で、不審者１８が通行人１９を脅している様な非常事態を目撃したタグ所有者２が手動送信スイッチ２２を押圧すると、現場情報（玄関ドア１０近くの物音や動画像）が暗号化されて警察機関に送られる。このため、警察機関では、事件発生から間を開けずに、現場情報を取得して分析することができ、犯人をスピード逮捕することができる。
【００４３】
なお、暗号化回路１６ｃで暗号化した電気信号（玄関ドア１０近くの物音や動画像に相当）をインターホン本体１４のメモリｍに記録し、モニター１５をブランク状態にするため、一般家屋１２の家主が、現場情報を無断で見てしまうことを防止でき、犯罪捜査に支障をきたさない。
【実施例２】
【００４４】
本発明の実施例２に係るセキュリティシステムＢ（請求項４、５、６に対応）を、図３、図４に基づいて説明する。
図３、図４に示す如く、セキュリティシステムＢは、車両３０に搭載されるドライブレコーダー３およびアダプタ４（付加装置）と、タグ所有者２との連携動作により現場情報を取得する構成である。
【００４５】
ドライブレコーダー３は、走行する車両３０から車外の物音や動画像を取得し対応する電気信号を出力するマイク３１およびカメラ３２（撮影手段）と、過大な負の加速度や衝撃等の物理量変化から事故発生を衝突判定回路３３が推定し、事故発生（推定）前後に出力された電気信号をメモリ３４（記憶部）に格納する制御器３５とを有する。
【００４６】
アダプタ４は、変調波を捉える受信アンテナ４１と、捉えた変調波の増幅・検波・復調を行う受信回路４２と、電気信号を暗号化する暗号化回路４３と、個体識別前後に出力されて暗号化回路４３で暗号化された電気信号をメモリ３４に強制的に記録させる強制稼働回路４４（強制稼働手段）と、送信アンテナ４５から電波４６を発射し無線中継局を介して警察機関へ不法行為に係る記録データを通報するための通報回路４７とを有し、ドライブレコーダー３に電気接続されている。なお、通報回路４７および送信アンテナ４５の代わりに、添付ファイル付のメールを携帯電話から警察機関へ送る構成でも良い。
【００４７】
タグ所有者２が携行するアクティブ無線タグ２１は、不法行為を現認したタグに配した手動送信スイッチ２２をタグ所有者２が押圧するとタグ本体２３に通電が成され、個体識別情報を重畳させた変調波２４を送信アンテナ２５から放射する構成である。なお、タグ内蔵センサが不法行為を感知すると、タグ本体２３に通電が成される構成でも良い。
【００４８】
このセキュリティシステムＢは、以下の様に作動する。
ひったくり犯５１が公道で通行人５２からバッグ５３をひったくる等の不法行為をタグ所有者２が現認して手動送信スイッチ２２を押圧操作すると、アクティブ無線タグ２１が作動して、個体識別情報を重畳させた変調波２４が送信アンテナ２５から放射される。
【００４９】
現場付近を通過する車両３０（複数台）に搭載されたドライブレコーダー３に付加されたアダプタ４の受信アンテナ４１が変調波２４を捉え、受信回路４２が捉えた変調波２４の増幅・検波・復調を行い、個体識別がなされると、個体識別前後にマイク３１およびカメラ３２から出力されて暗号化回路４３で暗号化された電気信号を強制稼働回路４４がメモリ３４に記録する。
【００５０】
通報回路４７が送信アンテナ４５から電波４６を発射し無線中継局を介して警察機関へ不法行為に係る記録データを送信する。
【００５１】
このセキュリティシステムＢは、以下の利点を有する。
ひったくり犯５１が公道で通行人５２からバッグ５３をひったくる等の不法行為をタグ所有者２が現認して手動送信スイッチ２２を押圧操作するとアクティブ無線タグ２１が作動し、その現場の近傍を通過する車両３０（複数台）のドライブレコーダー３のメモリ３４に、動画像や物音に対応する電気信号が暗号化されて格納され、記録データは、車両３０から警察機関に送られる。
【００５２】
このため、警察機関では、送られてきた記録データ（複数種類）から、ひったくり犯５１の動画像や物音を速やかに分析することができ、このセキュリティシステムＢを利用することにより、ひったくり犯５１（＝不審者）をスピード逮捕することができる。
【００５３】
ひったくり犯５１の動画像や物音が暗号化されてにメモリ３４に記録する構造である。このため、ドライブレコーダーの所有者がメモリ３４を取り出して、ひったくり犯５１の動画像を見たり、物音を聞いてしまうことを防止でき、犯罪捜査に支障をきたさない。
【実施例３】
【００５４】
本発明の実施例３に係る追跡システムＣ（請求項７に対応）を、図５、図６に基づいて説明する。
図５、図６に示す如く、追跡システムＣは、居場所不明になり易い飼猫６１、子供７１、老人８１らに携行させるアクティブ無線タグ６、７、８と、ゴミ置場９１、公園９２、トイレ９３に設置される拠点装置９とにより構成される。
【００５５】
なお、飼猫６１以外に飼犬等の愛玩動物でも良い。また、タグ携行人畜が立回る可能性が高い重点拠点は、ゴミ置場９１、公園９２、トイレ９３以外に、動物処分場、遊技場、残飯置場、ＡＴＭ、自動販売機、駅等の場所であっても良い。
【００５６】
アクティブ無線タグ６は、個体識別情報を重畳させた変調波６２を送信アンテナ６３から周期的（数秒〜数十秒毎）に所定時間（数ｍｓ〜数十ｓ）、放射する構造であり、首輪６４に取り付けられている。
アクティブ無線タグ７は、個体識別情報を重畳させた変調波７２を送信アンテナから周期的（数秒〜数十秒毎）に所定時間（数ｍｓ〜数十ｓ）、放射する構造であり、名札７３に取り付けられている。
アクティブ無線タグ８は、個体識別情報を重畳させた変調波８２を送信アンテナから周期的（数秒〜数十秒毎）に所定時間（数ｍｓ〜数十ｓ）放射する構造であり、腕章８３に取り付けられている。
【００５７】
拠点装置９は、変調波６２（変調波７２、８２も）を捉える受信アンテナ９４と、捉えた変調波の増幅、検波、復調を行う受信回路９５と、個体識別が成されると立回り時間、拠点場所情報、および個体識別情報を重畳させた電波９０を送信アンテナ９６から通報先に送信する通報回路９７とを有する。
【００５８】
なお、通報先は、飼猫６１の飼主や、子供７１の保護者や、老人８１の収容施設に設置した受信装置である。
【００５９】
この人畜追跡システムＣの作動および利点を述べる。
飼犬６１や子供７１や老人８１が、ゴミ置場９１や公園９２やトイレ９３に立回ると、携行したアクティブ無線タグ６、７、８から変調波６２、７２、８２が放射される。
【００６０】
ゴミ置場９１や公園９２やトイレ９３等の重要拠点に設置した拠点装置９の受信アンテナ９１が変調波６２、７２、８２を捉え、受信回路９５が変調波６２、７２、８２の増幅、検波、復調を行い、個体識別が成されると、拠点場所情報、および個体識別情報を重畳させた電波９０を送信アンテナ９６から通報先へ、通報回路９７が立回り時間、拠点場所情報、および個体識別情報を通報先に送信する。
【００６１】
通報先では、取得した、個体識別情報、立回り時間、および拠点場所情報に基づいて飼猫６１や子供７１や老人８１の居場所を特定することができる。
【００６２】
本発明は、上記実施例以外に、つぎの実施態様を含む。
ａ．人畜とは、その他、飼犬等のペットでも良い。重点拠は、動物処分場、遊技場、残飯置場、ＡＴＭ、自動販売機、駅等であっても良い。
【００６３】
ｂ．要監視物件は、道路に隣接していれば、その他、夜間金庫、自動販売機、公園、公衆便所等であっても良い。
【００６４】
ｃ．追跡システムは、ビジネスマン（利用者）のカバン（携行物）に配されるアクティブ無線タグと、カバンが奪われると通電を行う盗難時通電手段と、複数の監視拠点に設置される拠点装置とにより構成しても良い（請求項８、９に対応）。なお、監視拠点は、公園、トイレ、遊技場、自動販売機、駅等の場所が好ましい。
通報先では、個体識別情報とともに送られてくる立回り時間および拠点場所情報に基づいて、奪われたカバンの場所を特定することができる。
【００６５】
なお、盗難時通電手段は、図７の（ａ）、（ｂ）、（ｃ）の構成が好ましい。
カバンを奪われる際に発生する大きな加速度をＧセンサ５４が検出すると、自己保持形の通電回路５５がアクティブ無線タグ５６へ通電を行う構成｛図７の（ａ）参照｝。
カバンを奪われた時に、クリップ５７ａ付のヒモ５７にくくったピン５８が抜けて常開スイッチ５９の接点が閉成する構成｛図７の（ｂ）参照｝。
カバンに配設した利用者側の送信回路６５（送信器）から送信され続ける微弱電波６６を盗難により両者の距離が離れてカバン側（携行物側）の受信回路６７で受信できなくなると通電回路６８がアクティブ無線タグ５６へ通電を行う構成｛図７の（ｃ）参照｝。
【００６６】
盗難時のみアクティブ無線タグ５６から変調波５６ａ、５６ｂ、５６ｃが放射されるため、通報先は、盗難があったか否かの判別を容易にできる。また、盗難時のみ、アクティブ無線タグ５６へ電力を供給するため、電池６０の寿命を延ばすことができる。
【図面の簡単な説明】
【００６７】
【図１】本発明の実施例１に係るセキュリティシステムの説明図である。
【図２】そのセキュリティシステムのブロック図である。
【図３】本発明の実施例２に係るセキュリティシステムの説明図である。
【図４】そのセキュリティシステムのブロック図である。
【図５】本発明の実施例３に係る追跡システムの説明図である。
【図６】その追跡システムのブロック図である。
【図７】本発明の請求項８、９に係る追跡システムのブロック図である。
【符号の説明】
【００６８】
Ａ、Ｂ  セキュリティシステム
Ｃ  追跡システム
ｍ  メモリ（記録手段）
１  インターホン（監視装置）
２  タグ所有者
３  ドライブレコーダー本体（ドライブレコーダー）
４  アダプタ（付加装置）
６、７、８、５６  アクティブ無線タグ
９  拠点装置
１０  玄関ドア（監視対象エリア）
１２  一般家屋（要監視物件）
１６  アダプタ（付加装置）
１６ａ  受信アンテナ  
１６ｂ  受信回路
１６ｃ  暗号化回路（暗号化手段）
１６ｄ  強制稼働回路（強制稼働手段）
２２  手動送信スイッチ
２４、５６ａ、５６ｂ、５６ｃ  変調波
２５  送信アンテナ
３０  車両
３１  マイク（撮影手段）
３２  カメラ（撮影手段）
３４  メモリ
３５  制御器
４１  受信アンテナ
４２  受信回路
４３  暗号化回路
４４  強制稼働回路
４５  送信アンテナ
４６  電波
４７  通報回路
５４  Ｇセンサ
５９  常開スイッチ
６１  飼猫（人畜）
６５  送信回路（送信器）
６６  微弱電波
６７  受信回路
７１  子供（人畜）
８１  老人（人畜）
９１  ゴミ置場（人畜）
９２  公園（人畜）
９３  トイレ（人畜）
【図１】
2010123013.tif 000003
【図２】
2010123013.tif 000004
【図３】
2010123013.tif 000005
【図４】
2010123013.tif 000006
【図５】
2010123013.tif 000007
【図６】
2010123013.tif 000008
【図７】
2010123013.tif 000009